(57)【要約】【課題】  汎用のウィンドウ表示装置を利用可能であり、且つ、最終の合成映像の出力までの遅延のバラツキが低減されたマルチウィンドウ表示装置を提供する【解決手段】  本発明の一実施形態に係るマルチウィンドウ表示装置では、ｍ入力１出力の第１及び第２のウィンドウ表示装置を含む複数のウィンドウ表示装置がカスケード接続されている。第１のウィンドウ表示装置は、ｍ個の映像入力部に外部からの映像ソースを受け、当該映像ソース各々を任意のウィンドウ内に表示してなる合成映像を出力する。第２のウィンドウ表示装置は、ｍ個の映像入力部に第１のウィンドウ表示装置又は下段のウィンドウ表示装置からの合成映像を入力映像として受け、当該入力映像を合成してなる合成映像であって、当該入力映像に含まれているウィンドウの表示位置及び表示優先度を反映した合成映像を出力する。【選択図】  図１
2006106358.tif 000002
【特許請求の範囲】
【請求項１】
各々が全入力信号数Ｎよりも少ないｍ個の映像入力部と一つの映像出力部とを有し、カスケード接続された複数のウィンドウ表示装置を備え、
前記複数のウィンドウ表示装置は、
該装置の前記ｍ個の映像入力部各々に外部からの映像ソースを受け、該映像ソース各々を個別のウィンドウ内に表示してなる合成映像を出力する第１のウィンドウ表示装置と、
該装置の前記ｍ個の映像入力部各々に前記第１のウィンドウ表示装置又は下段のウィンドウ表示装置からの合成映像を入力映像として受け、該入力映像を合成してなる合成映像を出力する第２のウィンドウ表示装置と、
を含み、
前記第１のウィンドウ表示装置は、
該装置のｍ個の映像入力部に入力されたｍ個の映像ソースを表示するｍ個のウィンドウの表示位置及び表示優先度に基づいて、該装置の映像出力部に出力する前記合成映像における各位置の信号を前記ｍ個の映像入力部に入力される前記ｍ個の映像ソースから選択するための選択信号を生成する第１の選択手段と、
前記第１の選択手段によって生成された選択信号に基づいて、前記映像入力部と前記映像出力部との接続を切り替える第１の切替手段と、
を有し、
前記第２のウィンドウ表示装置は、
該装置のｍ個の映像入力部に入力されたｍ個の入力映像に含まれている各ウィンドウの表示位置及び表示優先度に基づいて、該装置の映像出力部に出力する前記合成映像における各位置の信号を前記ｍ個の映像入力部に入力される前記ｍ個の入力映像から選択するための選択信号を生成する第２の選択手段と、
前記第２の選択手段によって生成された選択信号に基づき、前記映像入力部と前記映像出力部との接続を切り替える第２の切替手段と、
を有する、
マルチウィンドウ表示装置。
【発明の詳細な説明】
【技術分野】
【０００１】
本発明は、マルチウィンドウ表示装置に関するものである。
【背景技術】
【０００２】
マルチウィンドウ表示装置は、複数の映像ソースを任意の表示位置及び任意の表示優先度の個別のウィンドウ内に各々表示してなる合成映像を出力する装置である。下記特許文献１には、従来のマルチウィンドウ表示装置が開示されている。当該文献に開示されたマルチウィンドウ表示装置は、入力映像ソースの数に応じて設計された専用機であり、複数の入力映像ソースを格納するための複数のフレームメモリ、各ウィンドウの表示位置及び表示優先度を記憶するメモリ等を有している。また、当該文献には、N個の入力映像ソースを、それぞれを表示するウィンドウの表示位置及び表示優先度に基づいて、N段の２入力切替え器によって合成するマルチウィンドウ表示装置も開示されている。
【特許文献１】特開平５−３４６７７３号公報
【発明の開示】
【発明が解決しようとする課題】
【０００３】
しかしながら、上述の従来のマルチウィンドウ表示装置のうち前者のマルチウィンドウ表示装置は、入力映像ソースの数を増加する場合に、メモリの構成等を設計する必要が生じ、結果として高価な装置となる。また、後者のマルチウィンドウ表示装置は、最終の合成映像が得られるまでの段数が多く、当該合成映像の出力までの遅延のバラツキが大きい。
【０００４】
そこで、本発明は、汎用のウィンドウ表示装置を利用可能であり、且つ、最終の合成映像の出力までの遅延のバラツキが低減されたマルチウィンドウ表示装置を提供することを目的としている。
【課題を解決するための手段】
【０００５】
本発明のマルチウィンドウ表示装置は、各々が全入力信号数Ｎよりも少ないｍ個の映像入力部と一つの映像出力部とを有し、カスケード接続された複数のウィンドウ表示装置を備える。複数のウィンドウ表示装置は、第１のウィンドウ表示装置と、第２のウィンドウ表示装置とを含む。第１のウィンドウ表示装置は、当該装置のｍ個の映像入力部各々に外部からの映像ソースを受け、当該映像ソース各々を個別のウィンドウ内に表示してなる合成映像を出力する。第２のウィンドウ表示装置は、該装置のｍ個の映像入力部各々に第１のウィンドウ表示装置又は下段のウィンドウ表示装置からの合成映像を入力映像として受け、当該入力映像を合成してなる合成映像を出力する。第１のウィンドウ表示装置は、第１の選択手段と第１の切替手段とを有する。第１の選択手段は、ｍ個の映像入力部に入力されたｍ個の映像ソースを表示するｍ個のウィンドウの表示位置及び表示優先度に基づいて、映像出力部に出力する合成映像における各位置の信号をｍ個の映像入力部に入力されるｍ個の映像ソースから選択するための選択信号を生成する。第１の切替手段は、第１の選択手段によって生成された選択信号に基づいて、映像入力部と映像出力部との接続を切り替える。第２のウィンドウ表示装置は、第２の選択手段と第２の切替手段とを有する。第２の選択手段は、ｍ個の映像入力部に入力されたｍ個の入力映像に含まれている各ウィンドウの表示位置及び表示優先度に基づいて、映像出力部に出力する合成映像における各位置の信号をｍ個の映像入力部に入力されるｍ個の入力映像から選択するための選択信号を生成する。第２の切替手段は、第２の選択手段によって生成された選択信号に基づき、映像入力部と映像出力部との接続を切り替える。
【０００６】
かかる構成のマルチウィンドウ表示装置によれば、第１のウィンドウ表示装置には、汎用のウィンドウ表示装置を用いることができる。したがって、入力映像ソースの数を増やす場合においても、低コストにマルチウィンドウ表示装置を製造することが可能である。また、全てのウィンドウ表示装置がｍ入力１出力になっており、下段の二つのウィンドウ表示装置からの出力映像を入力映像ソースとして合成映像を生成するので、N段の入力映像ソースをN段の２入力切替器によって順次合成する装置に比して、最終の合成映像の出力までの遅延のバラツキを低減することが可能である。
【発明の効果】
【０００７】
以上説明したように、本発明によれば、汎用のウィンドウ表示装置を利用可能であり、且つ、最終の合成映像の出力までの遅延のバラツキが低減されたマルチウィンドウ表示装置が提供される。
【発明を実施するための最良の形態】
【０００８】
以下、図面を参照して本発明の好適な実施形態について詳細に説明する。なお、各図面において同一又は相当の部分に対しては同一の符号を附すこととする。
【０００９】
図１は、本発明の実施形態に係るマルチウィンドウ表示装置の構成を示す図である。本実施形態は、各々が２入力１出力の複数のウィンドウ表示装置を備えるマルチウィンドウ表示装置の例である。図１に示すマルチウィンドウ表示装置１０は、４入力１出力のマルチウィンドウ表示装置となっている。
【００１０】
マルチウィンドウ表示装置１０では、二つのウィンドウ表示装置（第１のウィンドウ表示装置）１２と、ウィンドウ表示装置（第２のウィンドウ表示装置）１４とがカスケード接続されている。
【００１１】
二つのウィンドウ表示装置１２は各々、２入力１出力のウィンドウ表示装置であり、同様の構成を有している。ウィンドウ表示装置１２は、外部からの二つの映像ソースを入力するための映像入力部１２ａ及び１２ｂ、Ｈ／Ｖカウンタ１２ｃ、イネーブル信号出力部１２ｄ，１２ｅ、セレクタ１２ｆ、切替部１２ｇ、並びに映像出力部１２ｈを有している。
【００１２】
図２は、イネーブル信号出力部の構成を示す図である。図２に示すように、Ｈ／Ｖカウンタ１２ｃは、Ｈカウンタ２０ａ及びＶカウンタ２０ｂを有している。Ｈカウンタ２０ａは、このマルチウィンドウ表示装置１０に含まれている全てのウィンドウ表示装置に供給に入力される外部からの基準同期信号ＲＥＦ−Ｈ／Ｖに基づいて、水平同期カウントを出力する。Ｖカウンタ２０ｂは、基準同期信号ＲＥＦ−Ｈ／Ｖに基づくＶ−Ｒｅｓｅｔ信号とＨカウンタ２０ａからの水平同期信号ＨＳとに基づき、垂直同期カウントを出力する。
【００１３】
イネーブル信号出力部１２ｄは、映像入力部１２ａに入力される映像ソースを表示するウィンドウの表示位置及び表示優先度に基づき、イネーブル信号をセレクタ１２ｆに出力する。具体的に、イネーブル信号出力部１２ｄは、レジスタ１６ａ、１６ｂ、１６ｄ、１６ｅ、及び１６ｈ、ＳＲラッチ１６ｃ及び１６ｆ、及びＡＮＤ演算器１６ｇを有している。
【００１４】
イネーブル信号出力部１２ｅは、映像入力部１２ｂに入力される映像ソースを表示するウィンドウの表示位置及び表示優先度に基づき、イネーブル信号をセレクタ１２ｆに出力する。具体的に、イネーブル信号出力部１２ｅは、レジスタ１８ａ、１８ｂ、１８ｄ、１８ｅ、及び１８ｈ、ＳＲラッチ１８ｃ及び１８ｆ、及びＡＮＤ演算器１８ｇを有している。
【００１５】
なお、各ウィンドウの表示位置及び表示優先度は、このマルチウィンドウ表示装置１０に設けられたユーザインターフェイスを用いて任意に設定される。当該ユーザインターフェイスは、専用ソフトによる入力画面、或いはキー入力装置としてマルチウィンドウ表示装置１０に提供されるものである。
【００１６】
ここで、図４に示す４入力１出力の場合の合成映像の一例を参照しつつ、イネーブル信号出力部１２ｄ及び１２ｅの説明を行う。以下の説明においては、ウィンドウ表示装置１２の一方に、ウィンドウＷｉｎ１及びウィンドウＷｉｎ２に表示する映像ソースが入力され、ウィンドウ表示装置１２の他方に、ウィンドウＷｉｎ３及びウィンドウＷｉｎ４に表示する映像ソースが入力されるものとする。また、マルチウィンドウ表示装置１０は、合成映像における各ウィンドウの左上座標及び右下座標各々を水平方向Ｘ座標値と垂直方向Ｙ座標値によって規定し、当該左上座標及び右下座標によって各ウィンドウの表示位置を規定するものとする。更に、以下の説明では、図４に示されるように、ウィンドウＷｉｎ１、ウィンドウＷｉｎ４、ウィンドウＷｉｎ２、ウィンドウＷｉｎ３の順に低くなる表示優先度が設定されているものとする。
【００１７】
レジスタ１６ａは、映像入力部１２ａに入力される映像ソースを表示するウィンドウの左上座標のＸ座標値を記憶し、レジスタ１６ｂは、当該ウィンドウの右下座標のＸ座標値を記憶する。レジスタ１６ａ及び１６ｂは、記憶しているＸ座標値とＨカウンタ２０ａから出力される水平同期カウントとが一致する場合に、パルスを出力する。したがって、レジスタ１６ａ及び１６ｂからの出力を受けるＳＲラッチ１６ｃは、水平同期カウントがレジスタ１６ａに記憶されたＸ座標値からレジスタ１６ｂに記憶されたＸ座標値の間の値になっている間、アクティブ信号を出力する。
【００１８】
レジスタ１６ｄは、映像入力部１２ａに入力される映像ソースを表示するウィンドウの左上座標のＹ座標値を記憶し、レジスタ１６ｅは、当該ウィンドウの右下座標のＹ座標を記憶する。レジスタ１６ｄ及び１６ｅは、記憶しているＹ座標値とＶカウンタ２０ｂから出力される垂直同期カウントとが一致する場合に、パルスを出力する。したがって、レジスタ１６ｄ及び１６ｅからの出力を受けるＳＲラッチ１６ｆは、垂直同期カウントがレジスタ１６ｄに記憶されたＹ座標値からレジスタ１６ｅに記憶されたＹ座標値の間の値になっている間、アクティブ信号を出力する。
【００１９】
ＡＮＤ演算器１６ｇは、ＳＲラッチ１６ｃ及び１６ｆからの信号のＡＮＤ演算を実行して、その演算結果を出力する。したがって、ＡＮＤ演算器１６ｇは、ＳＲラッチ１６ｃ及び１６ｆの出力が共にアクティブ信号である場合に、イネーブル信号を出力する。
【００２０】
レジスタ１６ｈは、映像入力部１２ａに入力される映像ソースを表示するウィンドウの表示優先度を記憶しており、ＡＮＤ演算器１６ｇからのイネーブル信号をセレクタ１２ｆに出力する。
【００２１】
イネーブル信号出力部１２ｅでは、レジスタ１８ａが、映像入力部１２ｂに入力される映像ソースを表示するウィンドウの左上座標のＸ座標値を記憶し、レジスタ１８ｂが、当該ウィンドウの右下座標のＸ座標値を記憶する。レジスタ１８ａ及び１８ｂは、記憶しているＸ座標値とＨカウンタ２０ａから出力される水平同期カウントとが一致する場合に、パルスを出力する。したがって、レジスタ１８ａ及び１８ｂからの出力を受けるＳＲラッチ１８ｃは、水平同期カウントがレジスタ１８ａに記憶されたＸ座標値からレジスタ１８ｂに記憶されたＸ座標値の間の値になっている間、アクティブ信号を出力する
【００２２】
また、イネーブル信号出力部１２ｅでは、レジスタ１８ｄが、映像入力部１２ｂに入力される映像ソースを表示するウィンドウの左上座標のＹ座標値を記憶し、レジスタ１８ｅが、当該ウィンドウの右下座標のＹ座標値を記憶する。レジスタ１８ｄ及び１８ｅは、記憶しているＹ座標値とＶカウンタ２０ｂから出力される垂直同期カウントとが一致する場合に、パルスを出力する。したがって、レジスタ１８ｄ及び１８ｅからの出力を受けるＳＲラッチ１８ｆは、垂直同期カウントがレジスタ１８ｄに記憶されたＹ座標値からレジスタ１８ｅに記憶されたＹ座標値の間の値になっている間、アクティブ信号を出力する。
【００２３】
ＡＮＤ演算器１８ｇは、ＳＲラッチ１８ｃ及び１８ｆからの信号のＡＮＤ演算を実行して、その演算結果を出力する。したがって、ＡＮＤ演算器１８ｇは、ＳＲラッチ１８ｃ及び１８ｆの出力が共にアクティブ信号である間、イネーブル信号を出力する。
【００２４】
レジスタ１８ｈは、映像入力部１２ｂに入力される映像ソースを表示するウィンドウの優先度を記憶しており、ＡＮＤ演算器１８ｇからのイネーブル信号をセレクタ１２ｆに出力する。
【００２５】
セレクタ１２ｆは、イネーブル信号出力部１２ｄのみからイネーブル信号が出力された場合には、映像入力部１２ａに入力された映像ソースを選択するための選択信号を出力し、一方、イネーブル信号出力部１２ｅのみからイネーブル信号が出力された場合には、映像入力部１２ｂに入力された映像ソースを選択するための選択信号を出力する。
【００２６】
また、セレクタ１２ｆは、イネーブル信号出力部１２ｄ及び１２ｅの両者からイネーブル信号が出力された場合には、レジスタ１６ｈ及びレジスタ１８ｈに記憶されている表示優先度を参照する。レジスタ１６ｈに記憶されている表示優先度がレジスタ１８ｈに記憶されている表示優先度より高い場合に、セレクタ１２ｆは、映像入力部１２ａに入力された映像ソースを選択するための選択信号を出力し、一方、レジスタ１８ｈに記憶されている表示優先度がレジスタ１６ｈに記憶されている表示優先度より高い場合に、セレクタ１２ｆは、映像入力部１２ｂに入力された映像ソースを選択するための選択信号を出力する。
【００２７】
切替部１２ｇは、セレクタ１２ｆからの選択信号を受け、当該選択信号から選択すべき映像入力部が映像入力部１２ａであると特定される場合には、映像入力部１２ａと映像出力部１２ｈとを接続し、一方、当該選択信号から選択すべき映像入力部が映像入力部１２ｂであると特定される場合には、映像入力部１２ｂと映像出力部１２ｈとを接続する。
【００２８】
かかる構成を有する二つのウィンドウ表示装置１２によれば、図４に示す例では、一方のウィンドウ表示装置１２によって、任意の表示位置及び表示優先度の個別のウィンドウＷｉｎ１及びウィンドウＷｉｎ２に、映像入力部１２ａに入力される映像ソース及び映像入力部１２ｂに入力される映像ソースのうち対応の映像ソースが表示された合成映像が生成され、映像出力部１２ｈに出力される。また、他方のウィンドウ表示装置１２によって、任意の表示位置及び表示優先度の個別のウィンドウＷｉｎ３及びウィンドウＷｉｎ４に、映像入力部１２ａに入力される映像ソース及び映像入力部１２ｂに入力される映像ソースのうち対応の映像ソースが表示された合成映像が生成され、映像出力部１２ｈに出力される。
【００２９】
ウィンドウ表示装置１４は、映像入力部１４ａ及び１４ｂ、Ｈ／Ｖカウンタ１４ｃ、イネーブル信号出力部１４ｄ、１４ｅ、１４ｆ、及び１４ｇ、セレクタ１４ｈ、切替部１４ｉ、並びに映像出力部１４ｊを有する。映像入力部１４ａには、一方のウィンドウ表示装置１２からの合成映像が入力映像として入力され、映像入力部１４ｂには、他方のウィンドウ表示装置１２からの合成映像が入力映像として入力される。
【００３０】
図３は、イネーブル信号出力部の構成を示す図である。Ｈ／Ｖカウンタ１４ｃは、ウィンドウ表示装置１２のＨ／Ｖカウンタ１２ｃと同様に、Ｈカウンタ２２ａ及びＶカウンタ２２ｂを有している。Ｈカウンタ２２ａ及びＶカウンタ２２ｂそれぞれの機能は、Ｈ／Ｖカウンタ１２ｃのＨカウンタ２０ａ及びＶカウンタ２０ｂの対応の機能と同様である。
【００３１】
イネーブル信号出力部１４ｄは、一方のウィンドウ表示装置１２の映像入力部１２ａに入力される映像ソースを表示するウィンドウの表示位置及び表示優先度に基づきイネーブル信号を出力する。イネーブル信号出力部１４ｅは、一方のウィンドウ表示装置１２の映像入力部１２ｂに入力される映像ソースを表示するウィンドウの表示位置及び表示優先度に基づきイネーブル信号を出力する。イネーブル信号出力部１４ｆは、他方のウィンドウ表示装置１２の映像入力部１２ａに入力される映像ソースを表示するウィンドウの表示位置及び表示優先度に基づきイネーブル信号を出力する。イネーブル信号出力部１４ｇは、他方のウィンドウ表示装置１２の映像入力部１２ｂに入力される映像ソースを表示するウィンドウの表示位置及び表示優先度に基づきイネーブル信号を出力する。
【００３２】
具体的に、イネーブル信号出力部１４ｄでは、一方のウィンドウ表示装置１２の映像入力部１２ａに入力される映像ソースを表示するウィンドウＷｉｎ１の左上座標のＸ座標値ｘｓ１がレジスタ２４ａに記憶され、ウィンドウＷｉｎ１の右下座標のＸ座標値ｘｅ２がレジスタ２４ｂに記憶される。また、レジスタ２４ｄには、ウィンドウＷｉｎ１の左上座標のＹ座標値ｙｓ１が記憶され、レジスタ２４ｅには、ウィンドウＷｉｎ１の右下座標のＹ座標値ｙｅ１が記憶される。
【００３３】
レジスタ２４ａ及びレジスタ２４ｂは、Ｈカウンタ２２ａからの水平同期カウントとそれぞれに記憶しているＸ座標値が一致する場合に、パルス信号を出力する。したがって、レジスタ２４ａ及び２４ｂからの出力を受けるＳＲラッチ２４ｃは、水平同期カウントがレジスタ２４ａに記憶されたＸ座標値からレジスタ２４ｂに記憶されたＸ座標値のまでの値になっている間、アクティブ信号を出力する。
【００３４】
レジスタ２４ｄ及びレジスタ２４ｅは、Ｖカウンタ２２ｂからの垂直同期カウントとそれぞれに記憶しているＹ座標値が一致する場合に、パルス信号を出力する。したがって、レジスタ２４ｄ及び２４ｅからの出力を受けるＳＲラッチ２４ｆは、垂直同期カウントがレジスタ２４ｄに記憶されたＹ座標値からレジスタ２４ｅに記憶されたＹ座標値までの値になっている間、アクティブ信号を出力する。
【００３５】
ＡＮＤ演算器２４ｇは、ＳＲラッチ２４ｃ及び２４ｆからの信号のＡＮＤ演算を実行して、その演算結果を出力する。したがって、ＡＮＤ演算器２４ｇは、ＳＲラッチ２４ｃ及び２４ｆの出力が共にアクティブ信号である場合に、イネーブル信号を出力する。
【００３６】
レジスタ２４ｈは、ウィンドウＷｉｎ１の優先度を記憶しており、ＡＮＤ演算器２４ｇからのイネーブル信号をセレクタ２４ｆに出力する。
【００３７】
イネーブル信号出力部１４ｅは、一方のウィンドウ表示装置１２の映像入力部１２ｂに入力される映像ソースが表示されるウィンドウＷｉｎ２に対して、レジスタ２４ａ、レジスタ２４ｂ、レジスタ２４ｄ、レジスタ２４ｅ、レジスタ２４ｈ、ＳＲラッチ２４ｃ、ＳＲラッチ２４ｆ、ＡＮＤ演算器２４ｇ、レジスタ２４ｈと同様の機能をそれぞれ提供するレジスタ２６ａ、レジスタ２６ｂ、レジスタ２６ｄ、レジスタ２６ｅ、レジスタ２６ｈ、ＳＲラッチ２６ｃ、ＳＲラッチ２６ｆ、ＡＮＤ演算器２６ｇ、レジスタ２６ｈを有している。
【００３８】
また、イネーブル信号出力部１４ｆは、他方のウィンドウ表示装置１２の映像入力部１２ａに入力される映像ソースが表示されるウィンドウＷｉｎ３に対して、レジスタ２４ａ、レジスタ２４ｂ、レジスタ２４ｄ、レジスタ２４ｅ、レジスタ２４ｈ、ＳＲラッチ２４ｃ、ＳＲラッチ２４ｆ、ＡＮＤ演算器２４ｇ、レジスタ２４ｈと同様の機能をそれぞれ提供するレジスタ２８ａ、レジスタ２８ｂ、レジスタ２８ｄ、レジスタ２８ｅ、レジスタ２８ｈ、ＳＲラッチ２８ｃ、ＳＲラッチ２８ｆ、ＡＮＤ演算器２８ｇ、レジスタ２８ｈを有している。
【００３９】
さらに、イネーブル信号出力部１４ｇは、他方のウィンドウ表示装置１２の映像入力部１２ｂに入力される映像ソースが表示されるウィンドウＷｉｎ４に対して、レジスタ２４ａ、レジスタ２４ｂ、レジスタ２４ｄ、レジスタ２４ｅ、レジスタ２４ｈ、ＳＲラッチ２４ｃ、ＳＲラッチ２４ｆ、ＡＮＤ演算器２４ｇ、レジスタ２４ｈと同様の機能をそれぞれ提供するレジスタ３０ａ、レジスタ３０ｂ、レジスタ３０ｄ、レジスタ３０ｅ、レジスタ３０ｈ、ＳＲラッチ３０ｃ、ＳＲラッチ３０ｆ、ＡＮＤ演算器３０ｇ、レジスタ３０ｈを有している。
【００４０】
セレクタ１４ｈは、レジスタ２４ｈ及びレジスタ２６ｈの一方のみ又は両者のみからイネーブル信号が出力された場合には、映像入力部１４ａに入力された入力映像を選択するための選択信号を出力し、レジスタ２８ｈ及びレジスタ３０ｈの一方のみ又は両者のみからイネーブル信号が出力された場合には、映像入力部１４ｂに入力された入力映像を選択するための選択信号を出力する。一方、レジスタ２４ｈ及びレジスタ２６ｈの一方又は両者とレジスタ２８ｈ及びレジスタ３０ｈの一方又は両者から同時にイネーブル信号が出力された場合には、セレクタ１４ｈは、レジスタ２４ｈ、レジスタ２６ｈ、レジスタ２８ｈ、及びレジスタ３０ｈのうちイネーブル信号を出力したレジスタに記憶されている表示優先度を参照して、最も表示優先度の高いウィンドウを含む入力映像を選択するための選択信号を出力する。したがって、レジスタ２４ｈ又はレジスタ２６ｈに記憶されている表示優先度が最も高い場合には、映像入力部１４ａに入力される入力映像を選択するための選択信号がセレクタ１４ｈによって出力される。一方、レジスタ２８ｈ又はレジスタ３０ｈに記憶されている表示優先度が最も高い場合には、映像入力部１４ｂに入力される入力映像を選択するための選択信号がセレクタ１４ｈによって出力される。
【００４１】
切替部１４ｉは、セレクタ１４ｈからの選択信号を受け、当該選択信号から選択すべき映像入力部が映像入力部１４ａであると特定される場合には映像入力部１４ａと映像出力部１４ｊとを接続し、一方、当該選択信号から選択すべき映像入力部が映像入力部１４ｂであると特定される場合には、映像入力部１４ｂと映像出力部１４ｊとを接続する。
【００４２】
かかる構成を有するウィンドウ表示装置１４によって、図４に示す例では、ウィンドウＷｉｎ１とウィンドウＷｉｎ２とが重畳された合成映像と、ウィンドウＷｉｎ３とウィンドウＷｉｎ４とが重畳された合成映像とが、更に合成された最終の合成映像が生成され、当該最終の合成映像に各々のウィンドウの表示位置及び表示優先度が反映される。
【００４３】
かかる構成のマルチウィンドウ表示装置１０は、汎用のウィンドウ表示装置をウィンドウ表示装置１２として用いることができる。したがって、マルチウィンドウ表示装置１０は、低コストの装置となっている。
【００４４】
更に、このマルチウィンドウ表示装置１０では、全てのウィンドウ表示装置が２入力１出力になっており、下段の二つのウィンドウ表示装置から出力された合成映像を入力映像ソースとして更に合成映像を生成する構成とされているので、Ｎ個の入力映像ソースをN段の２入力切替器によって順次合成する従来の装置に比して、最終の合成映像の出力までの遅延のバラツキが低減されている。
【００４５】
なお、本発明は上記した本実施形態に限定されることなく種々の変形が可能である。例えば、上記実施の形態は４入力１出力のマルチウィンドウ表示装置であるが、８入力１出力といった複数入力１出力のマルチウィンドウ表示装置が本発明によって提供されることは、当業者であれば容易に理解され得る。このように、本発明によれば、システムとしての拡張性・可変性により、マルチウィンドウ表示装置の映像入力数を増やす場合や、故障装置交換時の変更が容易となる。
【図面の簡単な説明】
【００４６】
【図１】図１は、本発明の実施形態に係るマルチウィンドウ表示装置の構成を示す図である。
【図２】図２は、イネーブル信号出力部の構成を示す図である。
【図３】図３は、イネーブル信号出力部の構成を示す図である。
【図４】図４は、４入力１出力の場合の合成映像の一例を示す図である。
【符号の説明】
【００４７】
１０…マルチウィンドウ表示装置、１２…ウィンドウ表示装置（第１のウィンドウ表示装置）、１４…ウィンドウ表示装置（第２のウィンドウ表示装置）、１２ａ，１２ｂ，１４ａ，１４ｂ…映像入力部、１２ｄ，１２ｅ，１４ｄ，１４ｅ，１４ｆ，１４ｇ…イネーブル信号出力部、１２ｆ，１４ｈ…セレクタ、１２ｇ，１４ｉ…切替部、１２ｈ，１４ｊ…映像出力部。
【図１】
2006106358.tif 000003
【図２】
2006106358.tif 000004
【図３】
2006106358.tif 000005
【図４】
2006106358.tif 000006